【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
スタガーキャスト受信機で使用される方法であって、
少なくとも２つのパケットストリームを含むスタガーキャストコンテンツを受信することであって、１つのパケットストリームはメインストリームであり、前記コンテンツの提示に使用され、他のパケットストリームはスタガーストリームであり、前記スタガーストリームは前記メインストリームの前に受信される、受信することと、
前記メインストリームのパケットが前記パケットの配信時間に受信されない場合、前記コンテンツの提示に使用するために、前記受信したスタガーストリームからの対応するパケットを前記パケットの代わりに使用することであって、前記パケットの配信時間は、２つの連続パケットの配信時間の関数である、代わりに使用することと
を含む、方法。
【請求項２】
前記パケットの配信時間は、第１パケットの第１配信時間を第２パケットの第２配信時間から減算することにより定められる値に基づき、前記第１パケット及び前記第２パケットは、前に受信した２つの連続パケットである、請求項１に記載の方法。
【請求項３】
前記前に受信した２つの連続パケットは、両方が前記メインストリーム又は前記スタガーストリーム内にある、請求項２に記載の方法。
【請求項４】
前記パケットの前記配信時間は、待機時間の追加にさらに基づく、請求項２に記載の方法。
【請求項５】
前記値は、減算の数の平均をとることにより定められる、請求項２に記載の方法。
【請求項６】
前記値は、スタガーキャスト遅延と相関する、請求項２に記載の方法。
【請求項７】
前記受信することは、前記受信したスタガーキャストコンテンツを逆多重化して、前記メインストリーム及び前記スタガーストリームを生成することを含む、請求項１に記載の方法。
【請求項８】
少なくとも２つのパケットストリームを含むスタガーキャストコンテンツを受信する受信機であって、１つパケットストリームはメインストリームであり、前記コンテンツの提示に使用され、他のパケットストリームはスタガーストリームであり、前記スタガーストリームは前記メインストリームの前に受信される、受信機と、
前記メインストリームの前記パケットが前記パケットの配信時間に受信されない場合、前記コンテンツの提示に使用するために、前記受信したスタガーストリームからの対応するパケットを前記パケットの代わりに使用するように構成され、前記パケットの配信時間は、２つの連続パケットの配信時間の関数である、プロセッサと
を含む、装置。
【請求項９】
前記パケットの配信時間は、第１パケットの第１配信時間を第２パケットの第２配信時間から減算することにより定められる値に基づき、前記第１パケット及び前記第２パケットは、前に受信した２つの連続パケットである、請求項８に記載の装置。
【請求項１０】
前記前に受信した２つの連続パケットは、両方が前記メインストリーム又は前記スタガーストリーム内にある、請求項９に記載の装置。
【請求項１１】
前記パケットの前記配信時間は、待機時間にさらに基づく、請求項９に記載の装置。
【請求項１２】
前記値は、減算の数の平均をとることにより定められる、請求項９に記載の装置。
【請求項１３】
前記値は、スタガーキャスト遅延と相関する、請求項９に記載の装置。
【請求項１４】
前記受信機は、前記受信したスタガーキャストコンテンツを逆多重化して、前記メインストリーム及び前記スタガーストリームを生成するデマルチプレクサを含む、請求項８に記載の装置。
【請求項１５】
前記受信機は、前記メインストリームのパケット及び前記スタガーストリームのパケットから、提示するパケットを選択するスタガーキャスト選択器を実現する、請求項８に記載の装置。
【手続補正２】
【補正対象書類名】明細書
【補正対象項目名】００２１
【補正方法】変更
【補正の内容】
【００２１】
上記に鑑みて、上記は単に、本発明の原理が任意のスタガーキャストベースのシステムに適用されることを示しており、したがって、当業者が、本明細書に明示的に記載されていないが、本発明の原理を実施し、本発明の範囲内にある多くの代替の構成を交換可能なことが理解される。例えば、時間推定を特定するスタガーキャスト選択器に関連して示されているが、これは、構造的に、又は実行されるソフトウェアの異なる部分にある受信機の別の部分により特定することもできる。さらに、別個の機能要素に関連して示されているが、これらの機能要素は、１つ又は複数の集積回路（ＩＣ）で実施し得る。同様に、別個の要素として示されているが、任意又は全ての要素は、例えば図９及び図１１等に示されるステップの１つ又は複数に対応する関連付けられたソフトウェアを実行するデジタル信号プロセッサ等のストアドプログラムプロセッサにより実施し得る。さらに、図の幾つかは、要素が一緒にまとめられていることを示唆し得るが、本発明の概念はそのように限定されず、例えば、図７のデバイス２００の要素は、それらの任意の組合せで異なるユニットに分散し得る。例えば、図７の受信機２０５は、ディスプレイ２９０等を組み込んだ、デバイス又はボックスとは物理的に別個のセットトップボックス等のデバイス又はボックスの一部であり得る。したがって、添付の特許請求の範囲により規定される本発明の範囲から逸脱せずに、多くの変更を例示的な実施形態に対して行うことができ、他の構成を考案し得ることを理解されたい。
［付記１］
スタガーキャスト受信機で使用される方法であって、
少なくとも２つのパケットストリームを含むスタガーキャストコンテンツを受信することであって、１つのパケットストリームはメインストリームであり、前記コンテンツの提示に使用され、他のパケットストリームはスタガーストリームであり、前記スタガーストリームは前記メインストリームの前に受信される、受信することと、
前記メインストリームからのパケットの配信時間を推定することと、
前記メインストリームからの前記パケットが前記推定された配信時間に受信されない場合、前記コンテンツの提示に使用するために、前記受信したスタガーストリームからの対応するパケットを代わりに使用することと
を含む、方法。
［付記２］
前記推定された配信時間は、前に受信した２つの連続パケットの配信時間を減算することにより定められる値を使用する、付記１に記載の方法。
［付記３］
前記前に受信した２つの連続パケットは、両方が前記メインストリーム又は前記スタガーストリーム内にある、付記２に記載の方法。
［付記４］
前記推定された配信時間は、待機時間の追加を含む、付記２に記載の方法。
［付記５］
前記値は、減算の数の平均をとることにより定められる、付記２に記載の方法。
［付記６］
前記値は、スタガーキャスト遅延と相関する、付記２に記載の方法。
［付記７］
前記受信することは、前記受信したスタガーキャストコンテンツを逆多重化して、前記メインストリーム及び前記スタガーストリームを生成することを含む、付記１に記載の方法。
［付記８］
少なくとも２つのパケットストリームを含むスタガーキャストコンテンツを受信する受信機であって、１つパケットストリームはメインストリームであり、前記コンテンツの提示に使用され、他のパケットストリームはスタガーストリームであり、前記スタガーストリームは前記メインストリームの前に受信される、受信機と、
前記メインストリームからのパケットの配信時間を推定し、前記メインストリームからの前記パケットが前記推定された配信時間に受信されない場合、前記コンテンツの提示に使用するために、前記受信したスタガーストリームからの対応するパケットを代わりに使用するように構成されたプロセッサと
を含む、装置。
［付記９］
前記推定された配信時間は、前に受信した２つの連続パケットの配信時間を減算することにより定められる値を使用する、付記８に記載の装置。
［付記１０］
前記前に受信した２つの連続パケットは、両方が前記メインストリーム又は前記スタガーストリーム内にある、付記９に記載の装置。
［付記１１］
前記推定された配信時間は、待機時間の追加を含む、付記９に記載の装置。
［付記１２］
前記値は、減算の数の平均をとることにより定められる、付記９に記載の装置。
［付記１３］
前記値は、スタガーキャスト遅延と相関する、付記９に記載の装置。
［付記１４］
前記受信機は、前記受信したスタガーキャストコンテンツを逆多重化して、前記メインストリーム及び前記スタガーストリームを生成するデマルチプレクサを含む、付記８に記載の装置。
［付記１５］
前記プロセッサは、前記メインストリームのパケット及び前記スタガーストリームのパケットから、提示するパケットを選択するスタガーキャスト選択器を実現する、付記８に記載の装置。